(57)【要約】【課題】吊り金具に曲げ加工を必要とせず、かつ吊り金具を取り付けたときに側面に位置する断熱材を潰してしまうことのない室外ユニットを提供する。【解決手段】圧縮機及び熱交換器を収容する本体部を備え、この本体部の側面下側に断熱材５４が貼り付けられると共に、この本体部の同一側面に本体部を吊り下げるための吊り金具１７が取り付けられる室外ユニットにおいて、吊り金具１７は、本体部の側面に取り付けられる取付平面部１７ａと、本体部を吊り下げるための水平面部１７ｂとを有するＬ型形状に形成され、この水平面部１７ｂが本体の底面よりも下方に位置する態様で吊り金具を取り付けるとともに、断熱材５４を避ける位置であってユニット本体の側部と吊り金具の取付平面部１７ａとの間にスペーサ部材５５を介在させて吊り金具を取り付けた。【選択図】図５
2008008567.tif 000002
【特許請求の範囲】
【請求項１】
圧縮機及び室外熱交換器を有する本体部を備え、この本体部の底面板の外側面に断熱材を備えると共に、この断熱材の上方に位置した前記本体部の側面に当該本体部を吊り下げ可能にした吊り金具を備え、この吊り金具は、前記本体部の側面に取り付けられる取付平面部と、前記本体部を吊り下げるための水平面部とを備え、前記取付平面部と前記ユニット本体の側部との間にスペーサ部材を介在させて、前記水平面部が前記本体部の底面よりも下方に位置する態様で、前記取付平面部を前記本体部の側面に取り付けたことを特徴とする室外ユニット。
【請求項２】
前記スペーサ部材の厚みを、前記断熱材の厚みよりも厚くしたことを特徴とする請求項１に記載の室外ユニット。
【請求項３】
前記室外熱交換器が、水冷式の熱交換器であることを特徴とする請求項１又は２に記載の室外ユニット。
【発明の詳細な説明】
【技術分野】
【０００１】
本発明は、例えばビル等の天井裏の密閉空間に吊り金具を介して吊り下げられる室外ユニットに関する。
【背景技術】
【０００２】
一般に、ビル等の天井裏の密閉した空間に吊り金具を介して室外ユニットを吊り下げ、この室外ユニットと、各室内に配置した室内ユニットとを冷媒配管で接続した空気調和装置が知られている。この種のものでは、室外ユニットを密閉空間に設置するため、室外熱交換器には空冷式でなく、水冷式を採用するのが一般的である。室外ユニットを天井裏に配置した場合、当該室外ユニットを室内ユニットの近くに配置でき、冷媒配管長を短く設計できる利点がある。
【０００３】
ところで、室外ユニットの底面板には、熱交換器等で発生するドレンが溜まる。そのため、底面板の下面及び側面には、スポンジ状の断熱材が貼り付けられている。そして、この断熱材の上方に位置した室外ユニットの本体部の側面には、当該本体部を吊り下げるための吊り金具が取り付けられている。この吊り金具は、室外ユニット本体を床面に置くときに、この吊り金具が室外ユニットを支えることができるように、室外ユニットの底面部よりも下方に突出させている（例えば、特許文献１参照）。
【特許文献１】特開平８−３５６９０号公報
【発明の開示】
【発明が解決しようとする課題】
【０００４】
この吊り金具を室外ユニットの下方に突出させる態様で取り付ける場合には、底面板の側面に位置する断熱材を、上下方向に亘って跨ぐように取り付けなければならない。そのために、吊り金具の形状は、断熱材の厚みを避けた形状であって、断熱材が吊り金具によって潰れないような曲げ加工が施されていた。
しかし、この吊り金具には、室外ユニットを吊り上げたときに約３００ｋｇの自重が作用するため、この曲げ加工部に吊り上げ時の曲げ応力が集中してしまう。そのため、この吊り金具は、曲げ加工部で塑性変形が生じないように、十分な板厚の素材で製作しなければならないが、厚みがあると曲げ加工がし難く、さらに室外ユニット全体の軽量化ができないという問題があった。
【０００５】
本発明は、上述した事情に鑑みてなされたものであり、吊り金具に曲げ加工を必要とせず、かつ吊り金具を取り付けたときに底面板の側面に位置する断熱材を潰してしまうことのない室外ユニットを提供することを目的とする。
【課題を解決するための手段】
【０００６】
本発明に係る室外ユニットでは、圧縮機及び室外熱交換器を有する本体部を備え、この本体部の底面板の外側面に断熱材を備えると共に、この断熱材の上方に位置した前記本体部の側面に当該本体部を吊り下げ可能にした吊り金具を備え、この吊り金具は、前記本体部の側面に取り付けられる取付平面部と、前記本体部を吊り下げるための水平面部とを備え、前記取付平面部と前記ユニット本体の側部との間にスペーサ部材を介在させて、前記水平面部が前記本体部の底面よりも下方に位置する態様で、前記取付平面部を前記本体部の側面に取り付けたことを特徴とする。
この構成によれば、吊り金具の取付のための圧力をスペーサ部材によって受けることができる。
【０００７】
また、前記スペーサ部材の厚みを、前記断熱材の厚みよりも厚くしてもよい。
この構成によれば、吊り金具の取付時の圧力によって断熱材を押し潰すことがない。
前記室外熱交換器が、水冷式の熱交換器であってもよい。
水冷式であれば、室外ユニットを密閉空間に配置しても、熱交換の効率がよい。
【発明の効果】
【０００８】
本発明によれば、前記ユニット本体の側部と前記吊り金具の取付平面部との間にスペーサ部材を介在させて前記吊り金具を取り付けているので、取付時の圧力をスペーサ部材が受けることにより、室外ユニットの側面下側に位置する断熱材を押し潰すことがない。そのため、吊り金具には断熱材を避けるための折り曲げ加工が不要となり、さらに吊り金具自体を軽量化することができる。
【発明を実施するための最良の形態】
【０００９】
以下、本発明の実施の形態に係る室外ユニットについて、図面を参照しながら説明する。図１は、本発明の実施の形態に係る室外ユニットを斜め上方から見た状態の概要図である。なお、以下の説明で使用する、前後、上下、左右の方向は、図１における前面板７側から見た方向をいうものとする。
【００１０】
室外ユニット１は、図１に示すように、前後方向に長手方向を有する略角柱形状をなしており、室外ユニット１の外側部分（本体部）を、上面板２、底面板３，左右の側板４，５、後面板６、および前面板７とで構成している。この前面板７は、メンテナンス時などに取り外し可能なように、ねじなどの締結部材で取り付けられている。また、この室外ユニット１は、屋外で雨水に曝される環境で使用されるため、各板の組み合わされる部分が水密構造となるように組み付けられている。
【００１１】
前面板７が取り付けられる面の右側部分には、図１に示すように、後面板６側に向かって凹んでおり前面板７の面と略平行な２つの段差面１２、１３が形成されている。この段差面１２、１３は、室外ユニット１の上下方向に亘ってそれぞれ延在しており、この２つの段差面１２、１３のうちの奥側の段差面１３からは、各種配管が室外ユニット１の内部から外側に向かって突出している。この配管は、詳細には、水熱源用の冷却水を取り込むための給水用配管１４ａ及び冷却水の排水用配管１４ｂ、冷媒管としての高圧ガス管１５ａ、低圧ガス管１５ｂ、液管１５ｃ及びオイル管１５ｄである。
また、排水用配管１４ｂの左側には、締結部材によって着脱可能に取り付けられた蓋部１６を備えている。
【００１２】
図２は、図１の状態から、上面板２、右側の側板４、前面板７、および蓋部１６を省略して示す斜視図である。
室外ユニット１の内部には、前面板７の後側に配置された電装箱１１と、この電装箱の後側に配置された２つの圧縮機１８ａ、１８ｂと、電磁式の四方弁１９（図３参照）、水冷式室外熱交換器２１、アキュムレータ２２、油分離器２３、室外膨張弁２４よりも高所に取り付けられる各種電磁弁、レシーバタンク２５（図３参照）などが配置されている。これらは、冷媒管によって接続されて、冷媒回路を構成している。また、室外ユニット１の前面板７を取り外すと、電装箱１１の内部に取り付けられた基板８、端子台９、継電器１０などが室外ユニット１の外側からメンテナンスできるようになっている。
【００１３】
水冷式室外熱交換器２１には、それぞれ冷却水循環管路３５が設けられている。この冷却水循環管路３５の一部は、冷媒管の外側を水が流れる二重構造の管で構成されると共に、４つの管路３５ａ〜３５ｄ（多パス構造）で構成されており、４つの領域で冷媒との熱交換が可能になっている。冷媒管の外側を流れる水は、上述したように、給水用配管１４ａから流入し、排水用配管１４ｂから流出する。
【００１４】
図３は、室外ユニット１を適用した空気調和装置の冷媒回路図である。
この空気調和装置３１は、複数台（２台）の室外ユニット１Ａ、１Ｂと、複数台（２台）の室内ユニット３０Ａ、３０Ｂとを備えている。この空気調和装置３１では、室外ユニット１Ａ、１Ｂと室内ユニット３０Ａ、３０Ｂとを接続する冷媒配管８１が、上述した高圧ガス管１５ａ、低圧ガス管１５ｂ、液管１５ｃとから構成され、室内ユニット３０Ａ、３０Ｂを同時に冷房運転若しくは暖房運転可能とし、または、これらの冷房運転（ドライ運転を含む）と暖房運転とを混在して実施可能としている。
【００１５】
室内ユニット３０Ａは、室内熱交換器（利用側熱交換器）４０と膨張弁（減圧装置）４１とを備えて構成され、この室内熱交換器４０の一端は、膨張弁７４を介して液管１５ｃに配管接続されている。また、室内熱交換器４０の他端には、分岐管４２が接続され、この分岐管４２は、高圧ガス分岐管４２Ａと低圧ガス分岐管４、１Ｂとに分岐し、一方の高圧ガス分岐管４２Ａは第１開閉弁（例えば、電磁弁）４３を介して高圧ガス管１５ａに接続され、他方の低圧ガス分岐管４、１Ｂは第２開閉弁（例えば、電磁弁）４４を介して低圧ガス管１５ｂに接続されている。また、室内ユニット３０Ａには、室外熱交換器２１の出入口温度や室温を検出する温度センサ等が配置される他、これらセンサの検出結果を入力してこの室内ユニット３０Ａの制御を行う室内制御装置（図示せず）を備えている。
室内ユニット３０Ｂは、室内ユニット３０Ａと略同一の構成であるため、同一の部分に同一の符号を付して示し、重複する説明は省略する
【００１６】
室外ユニット１Ａは、能力可変型の圧縮機（ＤＣインバータ圧縮機）１８Ａと、能力一定型の圧縮機（ＡＣ圧縮機）１８Ｂと、オイルセパレータ２３と、水冷式の室外熱交換器（熱源側熱交換器）２１と、膨張弁２４と、レシーバタンク２５等から概略構成されている。以下、各圧縮機１８Ａ、１８Ｂを特に区別する必要がない場合は、圧縮機１８と表記する。
【００１７】
各圧縮機１８は、並列接続され、各圧縮機１８の吸込口に共通接続された吸込管７１が、アキュムレータ２２を介して低圧ガス管１５ｂに接続される。また、各圧縮機１８の吐出口に接続された吐出管７２は、オイルセパレータ２３を経て延出し、２つに分岐し、一方の冷媒吐出分岐管７２Ａが高圧ガス管１５ａに接続され、他方の冷媒吐出分岐管７２Ｂが室外熱交換器２１に接続されている。
【００１８】
ここで、上記冷媒吐出分岐管７２Ｂには、切換弁７３が設けられ、この切換弁７３が開くと、圧縮機１８の吐出冷媒が、室外熱交換器２１に供給される。
上記切換弁７３と室外熱交換器２１の間には、一つのポートＡが塞がれた、四方弁７４が設けられ、この四方弁７４は、室外熱交換器２１の一端と、切換弁７３につながる管路３１Ｂとを連通し、或いは、室外熱交換器２１の一端と、圧縮機１８の吸込管７１につながる管路７５とを連通する。
【００１９】
室外熱交換器２１の他端は、室外熱交換器２１に供給する冷媒流量を調整するための膨張弁２４、レシーバタンク２５、及び補助冷却回路７６を介して液管１５ｃと配管接続されている。補助冷却回路７６は、レシーバタンク２５と液管１５ｃとを接続する冷媒配管７７を流れる液冷媒を補助冷却するものであり、より具体的には、レシーバタンク２５と液管１５ｃとの間の液冷媒が通る配管７７の一部と、この配管７７から分岐して膨張弁７８を通過した冷媒が通る分岐管７９の一部とを２重管で構成した、２重管式熱交換器である。膨張弁７８を通過した冷媒が通る分岐管７９は、補助冷却回路７６に接続された冷媒配管８０を介して圧縮機１８の吸込管７１とつながり、この分岐管７９、８０を通過した冷媒は圧縮機１８の吸込口に戻される。
【００２０】
オイルセパレータ２３には、オイルセパレータ２３に溜められたオイルを圧縮機１８の冷媒吸込管に戻すための冷媒戻し管８１が接続され、例えばオイルセパレータ２３に溜められたオイル量が所定量以上の場合に、余剰のオイル量が冷媒戻し管８１を介して圧縮機１８の冷媒吸込管に戻される。冷媒戻し管８１には、キャピラリーチューブ３６が設けられ、さらに、冷媒戻し管８１と後述するオイルバランス管８２とを接続するオイル分岐管８１Ａが設けられ、オイル分岐管８１Ａには切換弁８４が配設されている。
【００２１】
オイルセパレータ２３には、オイルセパレータ２３と他の室外ユニット１Ｂが有する冷媒戻し管８１とを接続するためのオイルバランス管８２が接続される。オイルバランス管８２には、キャピラリーチューブ３７、バランス弁８５および逆止弁８６が直列に接続され、その先端は、室外ユニット１Ａと室外ユニット１Ｂとの間でオイル量のバランスを保つためのオイル管１５ｄに接続される。
【００２２】
室外ユニット１Ａは、室外熱交換器２１の出入口温度を検出する温度センサＳＯ１、ＳＯ２、圧縮機１８の吸込圧を検出する圧力センサＳＡ１及び圧縮機１８の吐出圧を検出する圧力センサＳＢ２、ＳＢ３等の各種センサ、複数の逆止弁、各種センサの検出結果を入力して室外ユニット１Ａ全体を制御する室外制御装置１００等を備える。
室外制御装置１００は、圧縮機１８Ａ、圧縮機１８Ｂに各々配設され、各圧縮機におけるオイル量を検知するオイルセンサ（図示略）に接続され、これらオイルセンサにより検知されたオイル量に従って、バランス弁８５、バイパス弁および切換弁８４の開閉を制御する。なお、室外ユニット１Ｂは、室外ユニット１Ａと同一の構成であるため、同一の部分には同一の符号を付して示し、重複する説明は省略する。
【００２３】
各室外ユニット１Ａ、１Ｂの室外制御装置１００は、図示しない制御配線により相互に通信可能に接続されている。そして、空気調和装置３１の動作時には、各室外ユニット１Ａ、１Ｂのいずれか１つが親機として機能し、親機の室外制御装置１００は、図示を省略したリモートコントローラを介して入力したユーザ指示に基づいて、他の室外制御装置１００や室内制御装置と通信し、この空気調和装置３１全体の運転制御を行う。
【００２４】
全ての室内ユニット３０Ａ、３０Ｂを同時に冷房運転する場合、各室外ユニット１Ａ、１Ｂでは、切換弁７３が開くと共に四方弁７４が切換制御され、また、各室内ユニット３０Ａ、３０Ｂでは第１開閉弁４３が閉じ、第２開閉弁４４が開く。この場合、圧縮機１８の吐出冷媒が、オイルセパレータ２３を介して室外熱交換器２１に供給され、ここで放熱・凝縮して液冷媒となり、レシーバタンク２５及び補助冷却回路７６を経て液管１５ｃに供給される。そして、室内ユニット３０Ａ、３０Ｂにおいては、液管１５ｃを介して液冷媒が膨張弁４１を介して室内熱交換器４０に供給され、ここで吸熱・蒸発し、低温低圧のガス冷媒となり、第２開閉弁４４を介して低圧ガス管１５ｂに供給される。
この低圧ガス管１５ｂに供給されたガス冷媒は、室外ユニット１Ａ、１Ｂの吸込管７１を介して圧縮機１８で再び圧縮される。これによって、全ての室内ユニット３０Ａ、３０Ｂで同時に冷房運転が可能になる。
【００２５】
一方、全ての室内ユニット３０Ａ、３０Ｂを同時に暖房運転する場合、各室外ユニット１Ａ、１Ｂでは、切換弁７３が閉じると共に四方弁７４が切換制御され、各室内ユニット３０Ａ、３０Ｂでは第１開閉弁４３が開き、第２開閉弁４４が閉じる。この場合、圧縮機１８が吐出した高温高圧のガス冷媒が、オイルセパレータ２３を介して高圧ガス管１５ａに供給される。そして、室内ユニット３０Ａ、３０Ｂにおいては、高圧ガス管１５ａを介してガス冷媒が室内熱交換器４０に供給され、ここで、放熱・凝縮して液冷媒となった後、膨張弁４１を介して液管１５ｃに供給される。この液管１５ｃに供給された液冷媒は、室外ユニット１Ａ、１Ｂの冷媒配管７７及びレシーバタンク２５を介して室外熱交換器２１に供給され、ここで、吸熱・蒸発し、ここで低温低圧のガス冷媒となり、吸込管７１を介して圧縮機１８で再び圧縮される。これによって、全ての室内ユニット３０Ａ、３０Ｂで同時に暖房運転が可能になる。
【００２６】
また、暖房運転と冷房運転の混在運転を行う場合、例えば、室内ユニット３０Ａを暖房運転し、室内ユニット３０Ｂを冷房運転する場合、室外ユニット１Ａ、１Ｂが上記同時暖房運転の場合と同様に制御される一方、室内ユニット３０Ａにおいては、第１開閉弁４３が閉じ、第２開閉弁４４が開き、室内ユニット３０Ｂにおいては、第１開閉弁４３が開き、第２開閉弁１５が閉じる。この場合、各室外ユニット１Ａ、１Ｂから高温高圧のガス冷媒が高圧ガス管１５ａに供給され、室内ユニット３０Ａにおいては、高圧ガス管１５ａを介してガス冷媒が室内熱交換器４０に供給され、ここで放熱・凝縮して液冷媒となった後、膨張弁４１を介して液管１５ｃに供給される。この液管１５ｃに供給された液冷媒の一部は室外ユニット１Ａ、１Ｂへ戻り、室外熱交換器２１で吸熱・蒸発し、低温低圧のガス冷媒となる。
【００２７】
一方、液管１５ｃに供給された液冷媒の残りは、室内ユニット３０Ｂの室内熱交換器４０に供給され、ここで吸熱・蒸発し、低温低圧のガス冷媒となった後、第２開閉弁４４を介して低圧ガス管１５ｂに供給される。
そして、低圧ガス管１５ｂに供給された冷媒は、室外熱交換器２１を経た上記ガス冷媒と共に、吸込管７１を介して圧縮機１８で再び圧縮される。これによって、室内ユニット３０Ａ、３０Ｂ毎に暖房運転と冷房運転とが可能になる。
【００２８】
空気調和装置３１の室外ユニット１Ａ、１Ｂ間でオイルを供給する場合、オイルを供給する側の室外ユニットにおいては、オイルバランス管８２から圧縮機１８にオイルが戻らないよう、室外制御装置１００の制御により開閉弁８４が閉鎖される。ここで、室外制御装置１００の制御によってオイルバランス管８２のバランス弁８５が開放されて、オイルセパレータ２３からオイルバランス管８２にオイルが流入する。さらに、室外制御装置１００の制御によりバイパス弁４３が開放され、冷媒吐出分岐管７２Ａから冷媒吐出分岐管３１Ｃを介して、オイルバランス管８２に高圧の冷媒が流入する。この高圧の冷媒は、オイルバランス管８２のオイルを押し流しながらオイル管１５ｄへ流出し、オイルの供給を受ける側の室外ユニットに達する。
【００２９】
オイルの供給を受ける側の室外ユニットにおいては、室外制御装置１００の制御により開閉弁８４が開放され、オイルバランス管８２から圧縮機１８の吸込口にオイルを流す管路が確保される。ここで、オイルを供給する側の室外ユニットから、オイルと高圧の冷媒とがオイル管１５ｄを介してオイルバランス管８２に流入すると、流入したオイルおよび冷媒は逆止弁８６により止められて分岐管８１Ａ側に流れ、分岐管８１Ａから冷媒戻し管８１を介して圧縮機１８の吸込口に達する。
【００３０】
室外ユニット１Ａ、１Ｂは、例えばビル等の天井裏の密閉した空間に吊り金具を介して吊り下げられている。この室外ユニットを密閉空間に設置した場合、室外熱交換器２１には空冷式が適さず、上述したように、水冷式が一般的に採用されている。室外ユニットを天井裏に配置した場合、当該室外ユニットを屋上等に配置する場合に比べ、室内ユニットの近くに配置でき、冷媒配管長を短く設計できる。
【００３１】
図４は、底面板３を単体で示す斜視図である。また、図５は、図１に示す室外ユニットをＡ方向から見た拡大図である。
図１及び図４に示すように、底面板３の側面に対応した、室外ユニット１の左右の下側側部には、室外ユニット１の長手方向に沿って延在する断面略Ｌ字形状の吊り金具１７が取り付けられている。この吊り金具１７は、室外ユニット１の側板４と平行な起立面を有する取付平面部１７ａと、この取付平面１７ａの下端部から底面板３と平行な水平面部１７ｂとを有している。この吊り金具１７は、水平面部１７ｂが底面板３よりも下側に位置するように取り付けられており、室外ユニット１を床面等に置いたときに、この水平面部１７ａで室外ユニット１の自重を受け、底面板３に室外ユニット１の自重が掛からないようになっている。なお、吊り金具１７の水平面部１７ｂには、図４に示すように、吊り上げ用の丸孔６１が間隔を開けて３つ形成されている。
【００３２】
底面板３は、図４に示すように、詳細には、上面を開口とする箱形形状をなしており、上述の正面部５０、この正面部５０の反対側に位置する後面部５１、正面部５０及び後面部５１を挟む両側部５２ａ、５２ｂを側面部として有している。
この底面板３の内側には、室外熱交換器２１等で発生するドレン水を貯めることができるようになっており、正面部５０には、貯められたドレン水を抜くためのドレン口５１が設けられている。なお、この底面板３の下面には、底面板３を補強するための補強部材３ａが取り付けられている。
【００３３】
室外ユニット１Ａ、１Ｂは、いわゆる屋内配置型であるため、ドレン水で冷えた底面板３の外面に水滴を発生させないため、底面板３の底面部は云うまでもなく、正面部５０、この正面部５０の反対側に位置する後面部５１のそれぞれの外側面には、断熱材５３がそれぞれ貼り付けられ、正面部５０及び後面部５１を挟む両側部５２ａ、５２ｂのそれぞれの外側面には、断熱材５４がそれぞれ貼り付けられている。この断熱材５３、５４は、例えば、スポンジ状のものであり、断熱材の内部にある空気によって断熱効果が得られるようになっている。
【００３４】
上述の吊り金具１７は、この両側部５２ａ、５２ｂにそれぞれ取り付けられる。詳細には、図５に示すように、吊り金具１７の上部が断熱材５４の側に位置し、この吊り金具１７の上部が、底面板３の両側部５２ａ、５２ｂにスペーサ部材５５を介してボルト６０（図４参照）で取り付けられている。スペーサ部材５５の厚みは、断熱材５４の厚みとほぼ等しく形成されており、吊り金具１７を取り付けた状態で、吊り金具１７の取付平面部１７ａが断熱材５４を押し潰さないようになっている。この吊り金具１７の取付平面部１７ａの外側には、さらに断熱材５６が貼り付けられている。なお、この断熱材５６も、他の断熱材５３、５４と同等のものである。
【００３５】
本発明の実施の形態に係る室外ユニットによれば、断熱材５４を避ける位置であって底面板３の両側部５２ａ、５２ｂと吊り金具１７の取付平面部１７ａとの間にスペーサ部材５５を介在させて吊り金具１７を取り付けているので、取付時の圧力をスペーサ部材５５が受けることにより、断熱材５４を押し潰すことがない。そのため、吊り金具１７には断熱材５４を避けるための折り曲げ加工が不要となり、さらに吊り金具１７自体を軽量化することができる。
【００３６】
以上、本発明を実施するための最良の形態について述べたが、本発明は既述の実施形態に限定されるものではなく、本発明の技術思想に基づいて各種の変形および変更が可能である。本実施の形態では、スペーサ部材５５の厚みを断熱材５４の厚みとほぼ等しく形成しているが、スペーサ部材５５の厚みの方を厚くしてもよい。これにより、吊り金具１７を取り付ける際に、断熱材５４をより確実に潰さないようすることができる。上記構成では、３本の冷媒配管を備えた、いわゆるスリーウェイの空気調和装置で説明したが、これに限定されず、一般的な２本の冷媒配管を備えたツーウェイの空気調和装置にも適用が可能なことは云うまでもない。
【図面の簡単な説明】
【００３７】
【図１】本発明の実施の形態に係る室外ユニットの斜視図である。
【図２】図１の室外ユニットから上面板、右側の側板、前面板および蓋部を省略して示す斜視図である。
【図３】本発明の実施の形態に係る室外ユニットを備えてなる空気調和装置の冷媒回路図である。
【図４】底面板を単体で示す斜視図である。
【図５】図１に示す室外ユニットをＡ方向から見た拡大図である。
【符号の説明】
【００３８】
１  室外ユニット
２  上面板
３  底面板
４  側板
６  後面板
７  前面板
１２、１３  段差面
１７  金具
１７ａ  取付平面部
１７ｂ  水平面部
５２ａ、５、１Ｂ  両側部
５３、５４、５６  断熱材
５５  スペーサ部材
【図１】
2008008567.tif 000003
【図２】
2008008567.tif 000004
【図３】
2008008567.tif 000005
【図４】
2008008567.tif 000006
【図５】
2008008567.tif 000007